(57)【要約】【課題】被発射物の飛来範囲を会場に適した範囲に設定することを可能にする。【解決手段】被発射物の発射システム３００は、情報処理装置２００と画像形成装置１と切断装置４００と巻き取り装置５００と発射装置６００とを備え、情報処理装置２００は、実測データ記憶部２３１に記憶されている複数の実測データの中から、タッチパネル２２３にて入力を受け付けた射程距離と来場者数との条件を満たす実測データを特定する特定部２１３と、特定部２１３が特定した実測データが示す長手方向長さのメタルテープの総数分の画像データを生成する画像データ生成部２１４とを備え、画像形成部１２は、メタルテープの総数分の画像データを用いて記録媒体に画像形成する。【選択図】図２
2019180684.tif 000002
【特許請求の範囲】
【請求項１】
情報処理装置と画像形成装置と切断装置と巻き取り装置と発射装置とを備える被発射物の発射システムであって、
前記発射装置は、長尺状の被発射物が巻かれた状態でセットされる発射筒を備え、当該発射筒から前記被発射物を発射するものであり、
前記情報処理装置は、
前記発射装置が配置される会場における被発射物の飛来範囲の奥行長さに相当する被発射物の射程距離と、前記被発射物の飛来範囲内の来場者数とが入力される入力部と、
前記発射装置の前記発射筒内にセットされた前記被発射物の総数と、前記被発射物の長手方向長さと、前記発射装置が予め定められた発射出力値で前記発射筒内の当該被発射物を発射した場合における当該被発射物の射程距離との関係を実測した実測データとして、前記総数と前記長手方向長さと前記射程距離との内容が異なる複数の実測データを予め記憶している実測データ記憶部と、
前記実測データ記憶部に記憶されている前記複数の実測データの中から、前記入力部に入力された前記射程距離と、前記総数と比較される前記来場者数との条件を満たす実測データを特定する特定部と、
前記特定部が特定した実測データが示す前記長手方向長さの前記被発射物の画像データを生成する画像データ生成部と、
前記画像データ生成部が生成した前記被発射物の画像データを記憶する画像データ記憶部と、
前記画像データ記憶部が記憶した前記被発射物の画像データと、前記特定部が特定した実測データが示す前記被発射物の総数を示す総数データとを出力する出力部と、を備え、
前記画像形成装置は、前記出力部からの前記被発射物の画像データ及び前記総数データを用いて記録媒体に前記被発射物の総数分の画像形成を行う画像形成部を備え、
前記切断装置は、前記画像形成装置により画像形成された記録媒体を、前記特定部が特定した実測データが示す前記被発射物の長手方向長さに切断するものであり、
前記巻き取り装置は、前記切断装置により切断された前記記録媒体を巻き取ることにより、前記発射筒内に収納される前記被発射物を作製する被発射物の発射システム。
【請求項２】
前記画像データ生成部は、前記被発射物の画像データとして、前記会場を使用する日付又は会場名を示す画像を含む内容の画像データを生成し、
前記画像形成装置の前記画像形成部は、前記出力部からの前記被発射物の画像データ及び前記総数データを用いて記録媒体に前記被発射物の総数分の画像形成を行う請求項１に記載の被発射物の発射システム。
【請求項３】
前記情報処理装置は、前記来場者の年齢、性別及び国籍のうちの少なくとも一つを含む属性情報を用いて当該来場者を複数のグループに分け、前記複数のグループごとに異なる画像形成内容を記憶するグループ内容記憶部と、
前記属性情報の指定を受け付ける指定受付部と、を備え
前記画像形成装置の前記画像形成部は、前記グループ内容記憶部の前記複数のグループのうち、前記指定受付部が受け付けた前記属性情報に一致するグループの画像形成内容で画像形成を行う請求項１に記載の被発射物の発射システム。
【請求項４】
前記画像データ生成部は、前記特定部が特定した実測データが示す前記長手方向長さの前記被発射物の総数分の画像データを生成し、
前記画像データ記憶部は、前記画像データ生成部が生成した前記被発射物の総数分の画像データを記憶し、
前記出力部は、前記画像データ記憶部が記憶した前記被発射物の総数分の画像データを出力し、
前記画像形成装置の前記画像形成部は、前記出力部からの前記被発射物の総数分の画像データを用いて記録媒体に前記被発射物の総数分の画像形成を行う請求項１乃至請求項３のいずれか１つに記載の被発射物の発射システム。
【請求項５】
長尺状の被発射物が巻かれた状態で発射筒にセットされ、当該発射筒から前記被発射物を発射する発射装置による、被発射物の発射方法であって、
前記発射装置が配置される会場における被発射物の飛来範囲の奥行長さに相当する被発射物の射程距離と、前記被発射物の飛来範囲内の来場者数とが入力される入力ステップと、
前記発射装置の前記発射筒内にセットされた前記被発射物の総数と、前記被発射物の長手方向長さと、前記発射装置が予め定められた発射出力値で前記発射筒内の当該被発射物を発射した場合における当該被発射物の射程距離との関係を実測した実測データとして、前記総数と前記長手方向長さと前記射程距離との内容が異なる複数の実測データを予め記憶している実測データ記憶ステップと、
前記実測データ記憶ステップにて記憶されている前記複数の実測データの中から、前記入力ステップにて入力された前記射程距離と、前記総数と比較される前記来場者数との条件を満たす実測データを特定する特定ステップと、
前記特定ステップにて特定した実測データが示す前記長手方向長さの前記被発射物の画像データを生成する画像データ生成ステップと、
前記画像データ生成ステップにて生成した前記被発射物の画像データを記憶する画像データ記憶ステップと、
前記画像データ記憶ステップにて記憶した前記被発射物の画像データと、前記特定ステップにて特定した実測データが示す前記被発射物の総数を示す総数データとを出力する出力ステップと、
前記出力ステップにて出力された前記被発射物の画像データ及び前記総数データを用いて記録媒体に前記被発射物の総数分の画像形成を行う画像形成ステップと、
前記画像形成ステップにより画像形成された記録媒体を、前記特定ステップにて特定した実測データが示す前記被発射物の長手方向長さに切断する切断ステップと、
前記切断ステップにて切断された前記記録媒体を巻き取ることにより、前記発射筒内に収納される前記被発射物を作製する巻き取りステップと、を備える被発射物の発射方法。
【発明の詳細な説明】
【技術分野】
【０００１】
本発明は、被発射物の発射システムおよび被発射物の発射方法に関し、特に、会場に適した範囲に被発射物を発射するための技術に関する。
【背景技術】
【０００２】
特許文献１には、紙吹雪、小巻テープ等の被発射物の発射動力源として圧縮ガスを使用することにより、被発射物を空中に飛び出させるクラッカーが開示されている。例えば、上記クラッカーがコンサート会場に配備され、コンサートを盛り上げる演出として、小巻テープの一例であるメタルテープが上記クラッカーから発射される演出が実行されることがある。メタルテープは、コンサートに関する文字又はマーク等の情報が印刷されており、記念品又は希少価値品として来場者に人気がある。
【先行技術文献】
【特許文献】
【０００３】
【特許文献１】特開２００２−２５０５９８号公報
【発明の概要】
【発明が解決しようとする課題】
【０００４】
しかしながら、特許文献１に記載のクラッカーでは、コンサート会場においてメタルテープが届く範囲（一般的には、クラッカーの発射口に近い範囲）にいる人だけが、メタルテープを入手可能であり、届かない範囲にいる人はメタルテープを入手できない。すなわち、コンサート会場における被発射物の飛来範囲に偏りがある。上記クラッカーは、演出用にメタルテープを発射することを目的とする装置に過ぎず、メタルテープを来場者に配布するための装置ではないため、被発射物の飛来範囲を会場に適した範囲に設定できない。
【０００５】
本発明は、上記の事情に鑑みなされたものであり、被発射物の飛来範囲を会場に適した範囲に設定することを可能にすることを目的とする。
【課題を解決するための手段】
【０００６】
本発明の一局面にかかる被発射物の発射システムは、情報処理装置と画像形成装置と切断装置と巻き取り装置と発射装置とを備える被発射物の発射システムであって、前記発射装置は、長尺状の被発射物が巻かれた状態でセットされる発射筒を備え、当該発射筒から前記被発射物を発射するものであり、前記情報処理装置は、前記発射装置が配置される会場における被発射物の飛来範囲の奥行長さに相当する被発射物の射程距離と、前記被発射物の飛来範囲内の来場者数とが入力される入力部と、前記発射装置の前記発射筒内にセットされた前記被発射物の総数と、前記被発射物の長手方向長さと、前記発射装置が予め定められた発射出力値で前記発射筒内の当該被発射物を発射した場合における当該被発射物の射程距離との関係を実測した実測データとして、前記総数と前記長手方向長さと前記射程距離との内容が異なる複数の実測データを予め記憶している実測データ記憶部と、前記実測データ記憶部に記憶されている前記複数の実測データの中から、前記入力部に入力された前記射程距離と、前記総数と比較される前記来場者数との条件を満たす実測データを特定する特定部と、前記特定部が特定した実測データが示す前記長手方向長さの前記被発射物の画像データを生成する画像データ生成部と、前記画像データ生成部が生成した前記被発射物の画像データを記憶する画像データ記憶部と、前記画像データ記憶部が記憶した前記被発射物の画像データと、前記特定部が特定した実測データが示す前記被発射物の総数を示す総数データとを出力する出力部と、を備え、前記画像形成装置は、前記出力部からの前記被発射物の画像データ及び前記総数データを用いて記録媒体に前記被発射物の総数分の画像形成を行う画像形成部を備え、前記切断装置は、前記画像形成装置により画像形成された記録媒体を、前記特定部が特定した実測データが示す前記被発射物の長手方向長さに切断するものであり、前記巻き取り装置は、前記切断装置により切断された前記記録媒体を巻き取ることにより、前記発射筒内に収納される前記被発射物を作製するものである。
【０００７】
また、本発明の別の一局面にかかる被発射物の発射方法は、長尺状の被発射物が巻かれた状態で発射筒にセットされ、当該発射筒から前記被発射物を発射する発射装置による、被発射物の発射方法であって、前記発射装置が配置される会場における被発射物の飛来範囲の奥行長さに相当する被発射物の射程距離と、前記被発射物の飛来範囲内の来場者数とが入力される入力ステップと、前記発射装置の前記発射筒内にセットされた前記被発射物の総数と、前記被発射物の長手方向長さと、前記発射装置が予め定められた発射出力値で前記発射筒内の当該被発射物を発射した場合における当該被発射物の射程距離との関係を実測した実測データとして、前記総数と前記長手方向長さと前記射程距離との内容が異なる複数の実測データを予め記憶している実測データ記憶ステップと、前記実測データ記憶ステップにて記憶されている前記複数の実測データの中から、前記入力ステップにて入力された前記射程距離と、前記総数と比較される前記来場者数との条件を満たす実測データを特定する特定ステップと、前記特定ステップにて特定した実測データが示す前記長手方向長さの前記被発射物の画像データを生成する画像データ生成ステップと、前記画像データ生成ステップにて生成した前記被発射物の画像データを記憶する画像データ記憶ステップと、前記画像データ記憶ステップにて記憶した前記被発射物の画像データと、前記特定ステップにて特定した実測データが示す前記被発射物の総数を示す総数データとを出力する出力ステップと、前記出力ステップにて出力された前記被発射物の画像データ及び前記総数データを用いて記録媒体に前記被発射物の総数分の画像形成を行う画像形成ステップと、前記画像形成ステップにより画像形成された記録媒体を、前記特定ステップにて特定した実測データが示す前記被発射物の長手方向長さに切断する切断ステップと、前記切断ステップにて切断された前記記録媒体を巻き取ることにより、前記発射筒内に収納される前記被発射物を作製する巻き取りステップと、を備えるものである。
【発明の効果】
【０００８】
本発明によれば、被発射物の飛来範囲を会場に適した範囲に設定することができる。
【図面の簡単な説明】
【０００９】
【図１】本発明の実施形態にかかる被発射物の発射システムを構成する情報処理装置及び画像形成装置の外観を示す図である。
【図２】本実施形態の被発射物の発射システムの構成を示すブロック図である。
【図３】本実施形態の画像形成装置の主要内部構成例を示す機能ブロック図である。
【図４】（Ａ）は実測データの一例を示す図、（Ｂ）は入力情報により特定される実測データの一例を示す図である。
【図５】本実施形態のコンサート会場に適した範囲に被発射物の飛来範囲を設定する一例を示す図である。
【図６】本実施形態のメタルテープ作製処理の一例を示すフローチャートである。
【図７】（Ａ）は本実施形態における被発射物の射程距離と被発射物の飛来範囲内の来場者数とが入力される入力画面の一例を示す図、（Ｂ）は射程距離と来場者数との条件を満たす実測データの結果表示の一例を示す図である。
【図８】第１変形例のメタルテープ作製処理の一例を示すフローチャートである。
【図９】第２変形例の被発射物の発射システムの構成を示すブロック図である。
【発明を実施するための形態】
【００１０】
以下、本発明の実施形態の被発射物の発射システムについて図面を参照して詳細に説明する。
【００１１】
図１は、本発明の実施形態にかかる被発射物の発射システムを構成する情報処理装置及び画像形成装置の外観を示す図である。図２は、本実施形態の被発射物の発射システムの構成を示すブロック図である。
【００１２】
本実施形態の被発射物の発射システム３００は、情報処理装置２００と、画像形成装置１と、切断装置４００と、巻き取り装置５００と、発射装置６００とを備える。本実施形態の被発射物は、小巻テープの一例であるメタルテープである。メタルテープは、長尺状のテープであり、長手方向が例えば１０ｃｍ〜３０ｃｍ、短手方向が例えば１ｃｍ〜３ｃｍである。なお、被発射物としては、メタルテープ以外の紙テープなどであってもよく、紙吹雪を含めてもよい。
【００１３】
発射装置６００は、図２に示すように、長尺状のメタルテープが巻かれた状態でセットされる発射筒６１０を備え、発射動力源として圧縮ガスを使用することにより、予め定められた発射出力値で発射筒６１０からメタルテープを空中に発射する装置である。
【００１４】
切断装置４００は、画像形成装置１により画像形成された記録媒体を、情報処理装置２００の後述する特定部２１３が特定した実測データが示すメタルテープの長手方向長さに切断するものである。
【００１５】
巻き取り装置５００は、切断装置４００により切断された前記記録媒体を巻き取ることにより、発射筒６１０内に収納されるメタルテープを作製するものである。
【００１６】
情報処理装置２００には、メタルテープ印刷アプリケーションがインストールされている。このメタルテープ印刷アプリケーションは、被発射物の一例であるメタルテープを印刷するプログラムである。情報処理装置２００は、後述する制御ユニット２１０がメタルテープ印刷アプリケーションを実行することにより、メタルテープの飛来範囲内の来場者数に合う数量のメタルテープの画像データ（つまり、メタルテープの総数分の画像データ）を生成して画像形成装置１に出力することが可能となる。
【００１７】
情報処理装置２００は、例えば、タブレット型コンピューターなどの携帯端末装置であって、制御ユニット２１０と、表示部２２２と、タッチパネル２２３と、通信部２２４と、記憶部２３０とを備えている。これらの構成要素は、互いにバスを通じてデータ又は信号の送受信が可能とされている。
【００１８】
表示部２２２は、液晶ディスプレイ（ＬＣＤ：Liquid Crystal Display）や有機ＥＬ（ＯＬＥＤ：Organic Light-Emitting Diode）などから構成される。
【００１９】
タッチパネル２２３は、所謂抵抗膜方式や静電容量方式等のタッチパネルである。タッチパネル２２３は、表示部２２２の画面に配置され、表示部２２２の画面に対する指などの接触をその接触位置と共に検知する。タッチパネル２２３は、指などの接触を検知すると、その接触位置の座標を示す検知信号を制御ユニット２１０の制御部２１１などに出力する。従って、タッチパネル２２３は、表示部２２２の画面に対するユーザー操作が入力される操作部としての役割を果たす。
【００２０】
また、情報処理装置２００は、ユーザー操作が入力される操作部として、上記のタッチパネル２２３に加えてハードキーを備えてもよい。
【００２１】
通信部２２４は、不図示のＬＡＮチップなどの通信モジュールを備える通信インターフェイスである。通信部２２４は、画像形成装置１との通信機能を有する。なお、通信部２２４は、特許請求の範囲における出力部の一例となる。
【００２２】
記憶部２３０は、大容量のＳＳＤ（Solid State Drive）、ＨＤＤ（Hard Disk Drive）などからなり、各種のデータやプログラムを記憶している。また、記憶部２３０は、後述する実測データ記憶部２３１及び画像データ記憶部２３２を備える。
【００２３】
制御ユニット２１０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２１０は、上記のＲＯＭ又は記憶部２３０に記憶された制御プログラムが上記プロセッサーで実行されることにより、制御部２１１、通信制御部２１２、特定部２１３、画像データ生成部２１４、表示制御部２１７として機能する。なお、制御ユニット２１０の上記の各構成要素は、前述の制御プログラムに基づく動作によらず、それぞれハード回路により構成されてもよい。
【００２４】
制御部２１１は、情報処理装置２００の全体的な動作制御を司る。また、制御部２１１は、表示部２２２、タッチパネル２２３、通信部２２４および記憶部２３０などと接続されており、上記各構成要素の動作制御や、各構成要素との間での信号またはデータの送受信を行う。通信制御部２１２は、通信部２２４の通信動作を制御する機能を有する。表示制御部２１７は、制御部２１１による制御の下、表示部２２２の表示動作を制御する。
【００２５】
また、制御部２１１は、タッチパネル２２３から出力される検知信号に基づき、ユーザーにより入力されたユーザー操作を特定する。例えば、ユーザー操作としては、タッチ操作（タップ操作）、ダブルタップ操作、テンキー操作などがある。そして、制御部２１１は、特定したユーザー操作に応じた制御を行う。例えば、図１に示す表示部２２２の画面に表示されたメタルテープ印刷アプリケーションを示すアイコン（画像表示）２２５に対して、ユーザーがダブルタップ操作を行うと、タッチパネル２２３によるタッチ機能により、その接触位置の座標を示し且つダブルタップ操作を示す検出信号が制御部２１１に出力され、制御部２１１は、かかる検出信号に基づいて、メタルテープ印刷アプリケーションを起動する。このメタルテープ印刷アプリケーションに従って操作等を行うことにより、メタルテープの飛来範囲内の来場者数に合う数量のメタルテープの画像データ（つまり、メタルテープの総数分の画像データ）を生成して画像形成装置１に出力することが可能となっている。詳細については後述する。
【００２６】
また、タッチパネル２２３は、発射装置６００が配置される会場（例えば、図５に示すコンサート会場など）におけるメタルテープ（被発射物）の飛来範囲の奥行長さに相当するメタルテープの射程距離と、メタルテープの飛来範囲内の来場者数との入力を受け付ける。具体的には、タッチパネル２２３は、表示部２２２に表示された後述する入力画面表示（図７（Ａ）参照）の被発射物の射程距離の入力欄と、被発射物の飛来範囲内の来場者数の入力欄とに数字を入力するテンキー操作を受け付ける。なお、タッチパネル２２３は、特許請求の範囲における入力部の一例となる。
【００２７】
実測データ記憶部２３１は、図４（Ａ）に示すように、発射装置６００の発射筒６１０内にセットされたメタルテープの総数と、メタルテープの長手方向長さと、発射装置６００が予め定められた発射出力値で発射筒６１０内の当該メタルテープを発射した場合における当該メタルテープの射程距離との関係を実測した実測データとして、前記総数と前記長手方向長さと前記射程距離との内容が異なる複数（例えば、１からＮ個）の実測データを予め記憶している。
【００２８】
例えば図４（Ａ）に示す実測データ「１」は、長手方向長さが１５ｃｍのメタルテープが巻き取り装置５００によって巻かれた状態となり、この巻かれた状態の５０枚のメタルテープが、発射筒６１０内にセットされ、この５０枚のメタルテープが、予め定められた発射出力値で発射された場合に、射程距離が２５ｍ（つまり、図５の左端に示すように０〜２５ｍの範囲にメタルテープが届く）であったことを示す実測データである。
【００２９】
また、図４（Ａ）に示す実測データ「２」は、長手方向長さが１０ｃｍのメタルテープが巻き取り装置５００によって巻かれた状態となり、この巻かれた状態の７５枚のメタルテープが、発射筒６１０内にセットされ、この７５枚のメタルテープが、予め定められた発射出力値で発射された場合に、射程距離が５０ｍ（つまり、図５の右端に示すように２５〜５０ｍの範囲にメタルテープが届く）であったことを示す実測データである。
【００３０】
上記の実測データ「１」及び「２」では、共に同じ発射出力値であり、メタルテープの総延長が同じであることから、メタルテープの総重量も同じであるが、メタルテープの長手方向長さが１５ｃｍと１０ｃｍとで異なり、巻かれた状態のメタルテープ単体の重さに違いがあることから、巻き状態で軽い方（１０ｃｍ巻きのメタルテープ）が重い方（１５ｃｍ巻きのメタルテープ）よりも遠くまで飛ぶと考えられ、飛距離つまり射程範囲の違いが生じる要因となっている。なお、メタルテープの巻き強さや巻き方を異ならせること、発射筒６１０の仰角を異ならせること、発射出力値を異ならせることなどで、射程距離が異なるようにした実測データを予め記憶するようにしてもよい。
【００３１】
また、図４（Ａ）に示す実測データ「３」は、長手方向長さが１５ｃｍのメタルテープが巻き取り装置５００によって巻かれた状態となり、この巻かれた状態の３０枚のメタルテープと、長手方向長さが１０ｃｍのメタルテープが巻き取り装置５００によって巻かれた状態となり、この巻かれた状態の３０枚のメタルテープとが、発射筒６１０内にセットされ、この６０枚のメタルテープが、予め定められた発射出力値で発射された場合に、射程距離が２５ｍ及び５０ｍ（つまり、図５の中央に示すように０〜５０ｍの範囲にメタルテープが届く）であったことを示す実測データである。この実測データ「３」では、巻き状態で軽いもの（１０ｃｍ巻きのメタルテープ）と重いもの（１５ｃｍ巻きのメタルテープ）とを用いているため、０〜５０ｍの範囲にメタルテープが届くようになっている。
【００３２】
特定部２１３は、実測データ記憶部２３１に記憶されている前記複数の実測データの中から、タッチパネル２２３にて入力を受け付けた前記射程距離と前記来場者数との条件を満たす実測データを特定する。例えば、特定部２１３は、図４（Ｂ）に示すように、射程距離が２５ｍ、メタルテープの飛来範囲内の来場者数が５０人以下の人数とした入力情報が入力された場合には、実測データ記憶部２３１内の図４（Ａ）に示す複数の実測データを検索し、図４（Ａ）に示す複数の実測データのうち、射程距離が２５ｍである実測データを特定し（少なくとも実測データ「１」が特定される）、この特定した実測データのうちメタルテープの総数が入力された来場者数を含む実測データを特定することにより、入力情報を満たす実測データが「１」であると特定する。
【００３３】
画像データ生成部２１４は、特定部２１３が特定した実測データが示す長手方向長さのメタルテープの総数分の画像データを生成する。例えば、画像データ生成部２１４は、矩形状の記録媒体に一致する大きさの矩形状の印刷エリアに対して、特定部２１３が特定した実測データが示す長手方向長さのメタルテープの画像を縦横に複数整列配置した画像データを生成する。
【００３４】
具体的には、画像データ生成部２１４は、特定部２１３が特定した実測データが「１」であり、記録媒体がＡ３サイズの場合（つまり、Ａ３サイズの矩形状の印刷エリアの場合）には、長手方向長さが１５ｃｍのメタルテープの画像を縦横に２６枚分配置した第１画像データと、長手方向長さが１５ｃｍのメタルテープの画像を縦横に２４枚分配置した第２画像データとからなる画像データ（つまり、メタルテープの画像が合計５０枚分の画像データ）を生成する。
【００３５】
また、画像データ生成部２１４は、メタルテープの画像データとして、会場（例えばコンサート会場など）を使用する日付又は会場名を示す画像を含む内容の画像データを生成する。前記内容は、タッチパネル２２３が入力操作を受けた入力内容であるが、記憶部２３０に予め記憶された内容であってもよい。
【００３６】
表示制御部２１７は、画像データ生成部２１４が生成した、メタルテープの総数分の画像データ（第１画像データ及び第２画像データからなる画像データ）を表示部２２２に表示させる。なお、表示制御部２１７は、メタルテープの画像部分のみ、又はメタルテープの画像部分とメタルテープの総数とを表示部２２２に表示させるようにしてもよい。そして、表示部２２２に表示された確認画面における不図示の記憶実行キーのタッチ操作があると、タッチパネル２２３によるタッチ機能によりかかるタッチ操作が検出され、制御部２１１は、画像データ生成部２１４が生成した画像データを画像データ記憶部２３２に記憶させる。
【００３７】
画像データ記憶部２３２は、画像データ生成部２１４が生成したメタルテープの総数分の画像データを記憶する。例えば、実測データ記憶部２３１には、上記Ａ３サイズの矩形状の印刷エリアの場合には、長手方向長さが１５ｃｍのメタルテープの画像を縦横に２６枚分配置した第１画像データと、長手方向長さが１５ｃｍのメタルテープの画像を縦横に２４枚分配置した第２画像データとからなる画像データ（つまり、メタルテープの画像が合計５０枚分の画像データ）を記憶する。
【００３８】
そして、上記メタルテープの総数分の画像データが画像データ記憶部２３２に記憶されると、表示制御部２１７は、不図示の出力確認画面を表示部２２２に表示させる。表示部２２２に表示された出力確認画面における不図示の出力実行キーのタッチ操作があると、タッチパネル２２３によるタッチ機能によりかかるタッチ操作が検出され、制御部２１１は、メタルテープの総数分の画像データ（例えば、第１画像データ及び第２画像データからなる画像データ）を出力することについての出力指示を受け付ける。
【００３９】
通信部２２４は、タッチパネル２２３が出力指示を受け付けると、メタルテープの総数分の画像データ（例えば、第１画像データ及び第２画像データからなる画像データ）を画像形成装置１に出力する。
【００４０】
次に、画像形成装置１について図面を参照して説明する。画像形成装置１は、例えば、コピー機能、プリンター機能、スキャナー機能、及びファクシミリ機能のような複数の機能を兼ね備えた複合機である。
【００４１】
図１に示すように、画像形成装置１は、装置本体２と、装置本体２の上方に配置された画像読取部５と、画像読取部５と装置本体２との間に設けられた連結部３とから構成される。
【００４２】
画像形成装置１の外郭を構成する筐体７には、画像形成装置１の様々な機能を実現するための複数の構成機器が収容されている。例えば、筐体７には、画像読取部５、画像形成部１２（図３）、定着部１３（図３）、給紙部３０等が収容されている。
【００４３】
画像読取部５は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像形成装置１が画像読取動作を行う場合、画像読取部５は、原稿搬送部６により搬送されてくる原稿又は不図示のコンタクトガラスに載置された原稿を１枚ずつ読み取ることで、原稿の画像を取得する。
【００４４】
画像形成部１２は、感光体ドラム、帯電装置、露光装置、現像装置、及び転写装置を備え、画像読取部５によって読み取られた画像や、ネットワーク接続された情報処理装置２００や他のファクシミリ装置から送られてくる印刷データを用いて、給紙部３０から供給される記録紙に画像を形成（印刷）する。画像形成済みの記録紙は定着部１３による定着処理を受けた後、排出トレイ４に排出される。
【００４５】
操作部４７は、例えば、当該画像形成装置１により可能な機能の実行を指示するためのスタートキーやユーザー（操作者）の操作を確定させる決定キー（エンターキー）、更に、数値入力を行うための数値入力キー等を備える。
【００４６】
また、操作部４７は、ユーザーへの操作案内等を表示する表示部４７３を備えている。表示部４７３はタッチパネルになっており、ユーザーは表示部４７３に表示される画像やアイコンに触れることで画像形成装置１を操作することができる。
【００４７】
次に、画像形成装置１の構成を説明する。図３は画像形成装置１の主要内部構成例を示す機能ブロック図である。
【００４８】
画像形成装置１は、制御ユニット１０を備える。制御ユニット１０は、プロセッサー、ＲＡＭ(Random Access Memory）、及びＲＯＭ（Read Only Memory）などから構成される。プロセッサーは、ＣＰＵ（Central Processing Unit）、ＭＰＵ(Micro-Processing Unit）、又はＡＳＩＣ（Application Specific Integrated Circuit）等である。
【００４９】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。
【００５０】
画像処理部３１は、画像読取部５で読み取られた原稿画像を、必要に応じて画像処理する。例えば、画像処理部３１は、画像読取部５により読み取られた画像が画像形成部１２により画像形成された後の品質を向上させるために、シェーディング補正等の予め定められた画像処理を行う。
【００５１】
画像メモリー３２は、画像読取部５による読取で得られた原稿画像を一時的に記憶したり、画像形成部１２による画像形成の対象となる画像を一時的に保存したりする領域である。
【００５２】
画像形成部１２は、画像読取部５で読み取られた原稿画像、ネットワーク接続された情報処理装置２００から受信した印刷データ等の画像形成を行う。本実施形態では、画像形成部１２は、例えば、情報処理装置２００から受信した印刷データとしての、メタルテープの総数分の画像データ（例えば、第１画像データ及び第２画像データからなる画像データ）を用いて、メタルテープの総数分の画像を記録媒体に画像形成する。また、画像形成部１２は、情報処理装置２００の通信部２２４からのメタルテープの総数分の画像データを用いて記録媒体にメタルテープの総数分の画像形成を行うことにより、当該記録媒体に、前記会場を使用する日付又は会場名を示す画像含む内容の画像が形成される。
【００５３】
定着部１３は、画像形成部１２の画像形成処理により表面に画像（トナー像）が形成された記録紙を加熱し、熱圧着により当該画像を記録しに定着させる定着処理を行う。
【００５４】
操作部４７は、画像形成装置１が実行可能な各種動作及び処理についてユーザーからの指示を受け付ける。操作部４７は、ユーザーへの操作案内等を表示する表示部４７３を備えている。
【００５５】
ファクシミリ通信部７１は、図略の符号化／復号化部、変復調部及びＮＣＵ（Network Control Unit）を備え、公衆電話回線網を用いてのファクシミリの送受信を行うものである。
【００５６】
ネットワークインターフェイス部９１は、ＬＡＮボード等の通信モジュールから構成され、当該ネットワークインターフェイス部９１に接続されたＬＡＮ等を介して、情報処理装置２００と種々のデータの送受信を行う。特に、ネットワークインターフェイス部９１は、情報処理装置２００からの印刷データ、例えば補正後画像データを受信する。
【００５７】
ＨＤＤ（Hard Disk Drive）９２は、各種のデータやプログラム、画像読取部５によって読み取られた原稿画像等を記憶する大容量の記憶装置である。
【００５８】
駆動モーター７０は、画像形成部１２や定着部１３等における各回転部材及び搬送ローラー対等に回転駆動力を付与する駆動源である。
【００５９】
制御ユニット１０は、制御部１００を備える。制御ユニット１０は、ＨＤＤ９２に記憶された制御プログラムが上記プロセッサーで実行されることにより、制御部１００として機能する。なお、制御ユニット１０の上記の各構成要素は、前述の制御プログラムに基づく動作によらず、それぞれハード回路により構成されてもよい。
【００６０】
制御部１００は、画像形成装置１の全体的な動作制御を司る。また、制御部１００は、画像読取部５、原稿搬送部６、画像処理部３１、画像メモリー３２、画像形成部１２、定着部１３、操作部４７、表示部４７３、ファクシミリ通信部７１、ネットワークインターフェイス部９１、及びＨＤＤ（ハードディスクドライブ）９２等と接続され、これら各部の駆動制御を行う。
【００６１】
次に、本実施形態の被発射物の発射システム３００において、図５に示すコンサート会場について、メタルテープの飛来範囲内の来場者数に合う数量のメタルテープを生成し、メタルテープの飛来範囲を会場に適した範囲に設定する処理を、図６に示すフローチャートなどを参照して説明する。ここでは、図５に示すコンサート会場の左端のエリア（奥行が２５ｍである矩形状エリアであって、来場者数が５０人を予定するエリア）をメタルテープの飛来範囲に設定することについて説明する。
【００６２】
まず、情報処理装置２００において、図１に示す表示部２２２のメタルテープ印刷アプリケーションを示すアイコン２２５がユーザーによりダブルタップ操作がされると、この操作がタッチパネル２２３によるタッチ機能により検出され、制御部２１１は、タッチパネル２２３からの検出信号に基づいてメタルテープ印刷アプリケーションを起動する（Ｓ１１）。
【００６３】
表示制御部２１７は、制御部２１１が実行するメタルテープ印刷アプリケーションの処理に従い、図７（Ａ）に示すように、射程距離及び来場者数の入力を促す入力画面表示（例えば、「射程距離を入力してください」と「被発射物の飛来範囲内の来場者数を入力してください」などの表示）を表示部２２２に表示させる。タッチパネル２２３は、メタルテープ（被発射物）の射程距離の入力欄と、メタルテープ（被発射物）の飛来範囲内の来場者数の入力欄とに数字を入力するテンキー操作をユーザーから受け付ける（Ｓ１２：入力ステップ）。ここでは、図５に示すコンサート会場の左端のエリア（奥行が２５ｍである矩形状エリアであって、来場者数が５０人を予定するエリア）についての射程距離及び来場者数がユーザーにより入力されるため、例えば図７（Ａ）に示すように、射程距離が２５ｍ、メタルテープの飛来範囲内の来場者数が５０人との入力情報が入力される。
【００６４】
実測データ記憶部２３１は、図４（Ａ）に示すように、発射装置６００の発射筒６１０内にセットされたメタルテープの総数と、メタルテープの長手方向長さと、発射装置６００が予め定められた発射出力値で発射筒６１０内の当該メタルテープを発射した場合における当該メタルテープの射程距離との関係を実測した実測データとして、前記総数と前記長手方向長さと前記射程距離との内容が異なる複数（例えば、１からＮ個）の実測データを予め記憶している（実測データ記憶ステップ）。
【００６５】
特定部２１３は、実測データ記憶部２３１に記憶されている前記複数の実測データの中から、タッチパネル２２３にて入力を受け付けた前記射程距離と前記来場者数との条件を満たす実測データを特定する（Ｓ１３：特定ステップ）。例えば、特定部２１３は、図４（Ｂ）に示すように、射程距離が２５ｍ、メタルテープの飛来範囲内の来場者数が５０人以下の人数とした入力情報が入力された場合には、例えば、上記入力情報の条件を満たす実測データが「１」であると特定する。
【００６６】
画像データ生成部２１４は、特定部２１３が特定した実測データが示す長手方向長さのメタルテープの総数分の画像データを生成する（Ｓ１４：画像データ生成ステップ）。例えば、画像データ生成部２１４は、特定部２１３が特定した実測データが「１」であり、記録媒体がＡ３サイズの場合（つまり、Ａ３サイズの矩形状の印刷エリアの場合）には、長手方向長さが１５ｃｍのメタルテープの画像を縦横に２６枚分配置した第１画像データと、長手方向長さが１５ｃｍのメタルテープの画像を縦横に２４枚分配置した第２画像データとからなる画像データ（つまり、メタルテープの画像が合計５０枚分の画像データ）を生成する。そして、画像データ記憶部２３２は、画像データ生成部２１４が生成したメタルテープの総数分の画像データを記憶する（Ｓ１５：画像データ記憶ステップ）。表示制御部２１７は、不図示の出力確認画面を表示部２２２に表示させる。
【００６７】
制御部２１１は、メタルテープの総数分の画像データ（例えば、第１画像データ及び第２画像データからなる画像データ）を出力することについての出力指示の有無を判定する（Ｓ１６）。タッチパネル２２３は、表示部２２２に表示された出力確認画面における不図示の出力実行キーのタッチ操作があると（Ｓ１６「Ｙｅｓ」）、制御部２１１は出力指示を受け付ける。通信部２２４は、タッチパネル２２３が出力指示を受け付けると、メタルテープの総数分の画像データ（例えば、第１画像データ及び第２画像データからなる画像データ）を画像形成装置１に出力する（Ｓ１７：出力ステップ）。一方、不図示の出力実行キーのタッチ操作がない場合（Ｓ１６「Ｎｏ」）には、制御部２１１は、本処理を終了する。
【００６８】
画像形成装置１は、ネットワークインターフェイス部９１が受信したメタルテープの総数分の画像データ（例えば、第１画像データ及び第２画像データからなる画像データ）を用いて、記録媒体に画像形成（印刷）する（Ｓ１８：画像形成ステップ）。ここでは、１枚目の記録媒体（Ａ３サイズ）に、長手方向長さが１５ｃｍのメタルテープの画像を縦横に２６枚分配置した第１画像データによる画像形成が行われる。続いて、２枚目の記録媒体（Ａ３サイズ）に、長手方向長さが１５ｃｍのメタルテープの画像を縦横に２４枚分配置した第２画像データによる画像形成が行われる。
【００６９】
切断装置４００は、画像形成装置１により画像形成された２枚の記録媒体を、特定部２１３が特定した実測データが示すメタルテープの長手方向長さ（ここでは１５ｃｍ）に切断する（Ｓ１９：切断ステップ）。長手方向長さが１５ｃｍであるメタルテープが、５０枚分切断される。
【００７０】
巻き取り装置５００は、切断装置４００により切断された記録媒体（巻き取り前のメタルテープＭＴ）を巻き取ることにより、発射筒６１０内に収納（セット）されるメタルテープを作製する（Ｓ２０：巻き取りステップ）。ここでは、長手方向長さが１５ｃｍである５０枚のメタルテープＭＴが、それぞれ巻き取られる。そして、上記巻き取られた５０枚のメタルテープが、図５に示すコンサート会場の左端のエリアの外側でその近傍箇所に設置された発射装置６００の発射筒６１０内にセットされる。
【００７１】
以上により、図５に示すコンサート会場の左端のエリア（奥行が２５ｍである矩形状エリアであって、来場者数が５０人を予定するエリア）をメタルテープの飛来範囲に設定することができる。図５に示すコンサート会場の左端のエリアの発射装置６００から上記巻き取られた５０枚のメタルテープが発射されると、この５０枚のメタルテープが当該左端のエリアに飛来し、当該左端のエリアの来場者は、飛来してくるメタルテープを取得することができる。
【００７２】
なお、図５に示す中央のエリアについても、上記の図６に示すメタルテープの飛来範囲を会場に適した範囲に設定する処理を実行することにより、メタルテープの飛来範囲に設定することができる。図５に示す中央のエリアは、奥行が５０ｍである矩形状エリアであって、来場者数が６０人を予定するエリアであるため、図４（Ｂ）に示すように、射程距離が５０ｍ、メタルテープの飛来範囲内の来場者数が６０人以下の人数とした入力情報が入力される（Ｓ１２）。特定部２１３は、図４（Ｂ）に示すように、射程距離が２５ｍ＆５０ｍ、メタルテープの飛来範囲内の来場者数が６０人以下の人数とした入力情報が入力された場合には、実測データ記憶部２３１内の図４（Ａ）に示す複数の実測データを検索し、図４（Ａ）に示す複数の実測データのうち、射程距離が「２５ｍ＆５０ｍ」である実測データを特定し（少なくとも実測データ「３」が特定される）、この特定した実測データのうちメタルテープの総数が入力された来場者数を含む実測データを特定することにより、入力情報を満たす実測データが「３」であると特定する。このように、図５に示すコンサート会場の中央のエリア（奥行が５０ｍである矩形状エリアであって、来場者数が６０人を予定するエリア）をメタルテープの飛来範囲に設定することができる。図５に示すコンサート会場の中央のエリアの発射装置６００から上記巻き取られた長手方向長さが１５ｃｍ及び１０ｃｍの６０枚のメタルテープが発射されると、この６０枚のメタルテープのうち長手方向長さが１５ｃｍである３０枚のメタルテープが当該中央のエリアの手前側エリアに飛来し、長手方向長さが１０ｃｍである３０枚のメタルテープが当該中央のエリアの奥側エリアに飛来し、当該中央のエリアの来場者は、飛来してくるメタルテープを取得することができる。
【００７３】
なお、図５に示す右端のエリアであってステージを除くエリアについても、上記の図６に示すメタルテープの飛来範囲を会場に適した範囲に設定する処理を実行することにより、メタルテープの飛来範囲に設定することができる。図５に示す右端のエリアであってステージを除くエリアは、奥行が２５〜５０ｍである矩形状エリアであって、来場者数が５０人を予定するエリアであるため、図４（Ｂ）に示すように、射程距離が５０ｍ、メタルテープの飛来範囲内の来場者数が５０人以下の人数とした入力情報が入力される（Ｓ１２）。特定部２１３は、図４（Ｂ）に示すように、射程距離が５０ｍ、メタルテープの飛来範囲内の来場者数が５０人以下の人数とした入力情報が入力された場合には、実測データ記憶部２３１内の図４（Ａ）に示す複数の実測データを検索し、図４（Ａ）に示す複数の実測データのうち、射程距離が５０ｍである実測データを特定し（少なくとも実測データ「２」が特定される）、この特定した実測データのうちメタルテープの総数が入力された来場者数を含む実測データを特定することにより、入力情報を満たす実測データが「２」であると特定する。このように、図５に示すコンサート会場の右端のエリアであってステージを除くエリア（奥行が２５〜５０ｍである矩形状エリアであって、来場者数が５０人を予定するエリア）をメタルテープの飛来範囲に設定することができる。図５に示すコンサート会場の右端のエリアの発射装置６００から上記巻き取られた長手方向長さが１０ｃｍの５０枚のメタルテープが発射されると、この５０枚のメタルテープが当該右端のエリアの奥側エリアに飛来し、当該右端のエリアの来場者は、飛来してくるメタルテープを取得することができる。
【００７４】
このように、本実施形態の被発射物の発射システム３００によれば、実測データ記憶部２３１は、発射装置６００にセットされたメタルテープの総数と、メタルテープの長手方向長さと、発射装置６００が予め定められた発射出力値でメタルテープを発射した場合における当該メタルテープの射程距離との関係を実測した複数の実測データ（図４（Ａ）参照）を予め記憶する。特定部２１３は、実測データ記憶部２３１に記憶されている複数の実測データの中から、タッチパネル２２３にて入力を受け付けた射程距離と来場者数との条件を満たす実測データを特定する。画像データ生成部２１４は、特定部２１３が特定した実測データが示す長手方向長さのメタルテープの総数分の画像データを生成する。画像形成部１２は、メタルテープの総数分の画像データを用いて記録媒体に画像形成する。切断装置４００は、画像形成装置１により画像形成された記録媒体を、特定部２１３が特定した実測データが示すメタルテープの長手方向長さに切断する。巻き取り装置５００は、切断装置４００により切断された記録媒体を巻き取ることにより、発射装置６００にセットされるメタルテープを作製する。これにより、メタルテープ（被発射物）の飛来範囲を会場に適した範囲に設定することができる。また、メタルテープ（被発射物）の飛距離を会場に最適化することができる。また、来場者全体の満足度を向上させることができ、来場者の座席位置や立ち位置による不平等感を低減することができる。また、メタルテープの総数分の画像データを生成しているので、異なる画像のメタルテープを効率良く作製することができる。
【００７５】
また、画像データ生成部２１４は、メタルテープの画像データとして、会場（例えばコンサート会場など）を使用する日付又は会場名を示す画像を含む内容の画像データを生成する。画像形成部１２は、情報処理装置２００の通信部２２４からのメタルテープの総数分の画像データを用いて記録媒体にメタルテープの総数分の画像形成を行うことにより、当該記録媒体に、前記会場を使用する日付又は会場名を示す画像含む内容の画像が形成される。これにより、コンサートの特定の日時単位でメタルテープを作製することができ、特別感を高めたメタルテープを供給することができる。
【００７６】
次に、第１変形例に係る被発射物の発射システム３００について、図８を用いて説明する。図８は、第１変形例のメタルテープ作製処理の一例を示すフローチャートである。
【００７７】
前述の実施形態の情報処理装置２００は、メタルテープの総数分の画像データ（第１画像データ及び第２画像データからなる画像データ）を生成して画像形成装置１に出力している。これに対して、第１変形例の情報処理装置２００は、メタルテープの１枚分の画像データを生成し、メタルテープの１枚分の画像データとメタルテープの総数を示す総数データとを画像形成装置１に出力している点が、前述の実施形態とは異なる。なお、図８に示す処理では、Ｓ１４Ａ〜Ｓ１７Ａの処理が図６に示した処理と異なるため、これらの処理について説明する。
【００７８】
画像データ生成部２１４は、特定部２１３が特定した実測データが示す長手方向長さのメタルテープの画像データ（つまり、メタルテープの１枚分の画像データ）を生成する（Ｓ１４Ａ：画像データ生成ステップ）。そして、画像データ記憶部２３２は、画像データ生成部２１４が生成した１枚分のメタルテープの画像データを記憶する（Ｓ１５Ａ：画像データ記憶ステップ）。
【００７９】
制御部２１１は、メタルテープの画像データを出力することについての出力指示の有無を判定する（Ｓ１６Ａ）。タッチパネル２２３は、表示部２２２に表示された出力確認画面における不図示の出力実行キーのタッチ操作があると（Ｓ１６Ａ「Ｙｅｓ」）、制御部２１１は出力指示を受け付ける。通信部２２４は、タッチパネル２２３が出力指示を受け付けると、メタルテープの画像データ（メタルテープの１枚分の画像データ）とメタルテープの総数を示す総数データとを画像形成装置１に出力する（Ｓ１７Ａ：出力ステップ）。一方、不図示の出力実行キーのタッチ操作がない場合（Ｓ１６Ａ「Ｎｏ」）には、制御部２１１は、本処理を終了する。
【００８０】
画像形成装置１は、ネットワークインターフェイス部９１が受信したメタルテープの１枚分の画像データとメタルテープの総数を示す総数データとを用いて、記録媒体にメタルテープの総数分の画像形成（印刷）を行う（Ｓ１８：画像形成ステップ）。例えば、実測データが「１」の場合には、長手方向長さが１５ｃｍで同一画像のメタルテープの５０枚分の画像形成が行われる。
【００８１】
上記の第１変形例によれば、同一画像のメタルテープを作製する場合には、メタルテープの１枚分の画像データを生成するだけでよく、画像データ生成部２１４による処理負担を低減することができる。また、メタルテープの１枚分の画像データと、その総数を示す総数データとが通信部２２４から画像形成装置１に出力されるので、画像形成装置１においてメタルテープの総数分の画像形成を適切に行うことができる。
【００８２】
次に、第２変形例に係る被発射物の発射システム３００について、図９を用いて説明する。図９は、第２変形例の被発射物の発射システムの構成を示すブロック図である。
【００８３】
第２変形例の情報処理装置２００は、グループ内容記憶部２３３を備え、タッチパネル２２３が後述する属性情報の指定を受け付け、画像形成部１２が前記属性情報に一致するグループの画像形成内容で画像形成を行う点などが、前述の実施形態とは異なるため、グループ内容記憶部２３３などについて詳細に説明する。なお、図２に示した構成と同じ構成については同符号を付して説明を略する。
【００８４】
グループ内容記憶部２３３は、来場者の年齢、性別及び国籍のうちの少なくとも一つを含む属性情報を用いて当該来場者を複数のグループに分け、前記複数のグループごとに異なる画像形成内容を記憶する。例えば、属性情報が「女性」である（つまり、来場者が主に女性である）グループには、女性好みのデザイン（かわいい系デザイン）を施した画像（例えば、ハートマークが入っているなど）のメタルテープの画像データを記憶し、属性情報が「男性」である（つまり、来場者が主に男性である）グループには、男性好みのデザイン（かっこいいデザイン）を施した画像（例えば、スペードマークが入っているなど）のメタルテープの画像データを記憶すればよい。
【００８５】
タッチパネル２２３（指定受付部）は、前記属性情報の指定を受け付ける。画像形成装置１の画像形成部１２は、グループ内容記憶部２３３の複数のグループのうち、タッチパネル２２３が受け付けた前記属性情報に一致するグループの画像形成内容で画像形成を行う。例えば、タッチパネル２２３（指定受付部）が受け付けた属性情報が「女性」である場合には、女性グループに記憶された画像（例えば、ハートマークが入っているなど）のメタルテープが画像形成される。例えば、来場者が女性限定であるコンサート会場において、来場者の属性に応じたメタルテープを提供することができる。
【００８６】
上記の第２変形例によれば、その日の来場者の年齢、性別及び国籍のうちの少なくとも一つを含む属性情報を基に、メタルテープの印刷内容を変えることができ、より来場者に合った演出を行うことができる。
【００８７】
なお上記実施形態では、図５に示すコンサート会場の中央のエリアに対して１台の発射装置６００を配備しているが、中央のエリアの手前側エリアと奥側エリアとでそれぞれ発射装置６００（２台のの発射装置６００）を配備するようにしてもよい。
【符号の説明】
【００８８】
１    画像形成装置
１２    画像形成部
２００    情報処理装置
２１０    制御ユニット
２１１    制御部
２１３    特定部
２１４    画像データ生成部
２２３    タッチパネル（入力部、指定受付部）
２２４    通信部（出力部）
２３１    実測データ記憶部
２３２    画像データ記憶部
２３３    グループ内容記憶部
３００    被発射物の発射システム
４００    切断装置
５００    巻き取り装置
６００    発射装置
【図１】
2019180684.tif 000003
【図２】
2019180684.tif 000004
【図３】
2019180684.tif 000005
【図４】
2019180684.tif 000006
【図５】
2019180684.tif 000007
【図６】
2019180684.tif 000008
【図７】
2019180684.tif 000009
【図８】
2019180684.tif 000010
【図９】
2019180684.tif 000011